(57)【要約】【課題】時刻情報を電波として提供すると共に、この時刻情報に基づいた電力量情報を顧客に提供することにより、顧客が所有する電波時計との同期が取れ、それにより顧客が適正に最大使用電力の抑制を図ることが可能な電力量情報提供装置を提供する。【解決手段】この電力量情報提供装置８ａは、ネットワーク７から受信した時刻情報を読み取る時刻情報読取手段１１と、時刻情報読取手段１１により読み取った時刻情報を電波時計１５、１９に配信するためのタイムコードに変換するタイムコード変換手段１２と、タイムコードを再び電波として発信する電波発信手段１３と、電波発信手段１３により発信されたタイムコードを受信して時刻補正を行う電波時計１５、１９と、電波時計１５の時刻情報に基づいて使用電力量を算定する使用電力量算定回路１６と、使用電力量算定回路１６により算定された算定電力量と電波時計１５より取得した時刻情報とを電力量情報として電力を使用する顧客Ａ８へ提供する電力量情報提供手段１７と、を備えて構成される。【選択図】図２
2007127557.tif 000002
【特許請求の範囲】
【請求項１】
時刻情報と該時刻における使用電力に基づいて使用電力量を算定すると共に、前記時刻情報と該時刻情報に対応する使用電力量情報とを、電力を使用する顧客へ提供する電力量情報提供装置であって、
ネットワークから受信した時刻情報を電波時計に配信するためのタイムコードに変換するタイムコード変換手段と、前記タイムコードを再び電波として発信する電波発信手段と、該電波発信手段により発信されたタイムコードを受信して前記時刻情報に対応する使用電力量情報を顧客に提供する電力量計と、を備えたことを特徴とする電力量情報提供装置。
【請求項２】
前記電力量計は、前記電波発信手段により発信されたタイムコードを受信して時刻補正を行う電波時計と、該電波時計の時刻情報に基づいて前記使用電力量を算定する使用電力量算定手段と、該使用電力量算定手段により算定された算定電力量と前記電波時計より取得した時刻情報とを電力量情報として前記電力を使用する顧客へ提供する電力量情報提供手段と、を備えたことを特徴とする請求項１に記載の電力量情報提供装置。
【請求項３】
時刻情報と該時刻における使用電力に基づいて使用電力量を算定すると共に、前記時刻情報と該時刻情報に対応する使用電力量情報とを、電力を使用する顧客へ提供する電力量情報提供装置であって、
ネットワークから受信した時刻情報を電波時計に配信するためのタイムコードに変換するタイムコード変換手段と、前記タイムコードを再び電波として発信する電波発信手段と、前記時刻情報に対応する使用電力量情報を顧客に提供する電力量計と、を備えたことを特徴とする電力量情報提供装置。
【請求項４】
前記電力量計は、前記時刻情報に基づいて前記使用電力量を算定する使用電力量算定手段と、該使用電力量算定手段により算定された算定電力量と前記ネットワークから受信した時刻情報とを電力量情報として前記電力を使用する顧客へ提供する電力量情報提供手段と、を備えたことを特徴とする請求項３に記載の電力量情報提供装置。
【請求項５】
時刻情報を配信する時刻配信側と、請求項１乃至４の何れか一項に記載の電力量情報提供装置を備えた時刻受信・再配信側と、前記時刻配信側と前記時刻受信・再配信側を接続するネットワークと、を備えた電力量情報提供システムであって、
前記時刻配信側は、長波標準電波により変調された標準時刻情報を受信して検波する受信部と、該受信部により検波された標準時刻情報を復号する復号部と、復号された標準時刻情報に基づいた時刻情報を前記ネットワークに配信する配信手段と、を備えたことを特徴とする電力量情報提供システム。
【発明の詳細な説明】
【技術分野】
【０００１】
本発明は、電力量情報提供装置及び電力量情報提供システムに関し、さらに詳しくは、ネットワークにより取得した時刻情報と該時刻における使用電力から使用電力量を算定すると共に、使用電力量と時刻情報を顧客へ提供する電力量情報提供装置及び電力量情報提供システムに関するものである。
【背景技術】
【０００２】
電力会社では、時刻情報に基づいて顧客が使用した電力を計量・記録して電力量を算定している。電気料金を算定するには、この電力量のほか、最大使用電力と時間帯という概念がある。即ち、最大使用電力（デマンド）は３０分間の平均値として算出する。従って、契約電力はこの最大使用電力で決定され、一般的に最大使用電力が大きければ、電気料金単価が高くなるシステムである。例えば時間帯は、夜間と昼間、平日と休日、夏季とその他季というように区分され、それぞれで電力量の単価が異なり、一般的に電力を多量に使用する昼間、夏季などは電気料金単価が高くなる。
従って顧客は、電気料金単価を安く抑えるために最大使用電力を極力低くするように努め、電気料金単価が高い時間帯には使用電力を抑えるように努めている。最近電力会社は、このような顧客のニーズに応えるために、使用電力量を時間とともに顧客へ情報提供している。顧客はこの情報によって、最大使用電力を抑えようと試みることができる。
尚、時刻情報を提供する従来技術として、特許文献１には、電波を受信可能な場所においては、電波時計付き移動物検知装置を使用して、標準時に基づいた時系列で移動物の位置情報を収集し、トンネル内などの電波の受信不可能な場所においては、電波時計をトンネル外に設置し、電波時計と電波時計を備えない移動物検知装置をネットワークに接続し、標準時情報をネットワーク上で通知して標準時に時刻を一致化することにより、標準時に基づいた時系列で移動物の位置情報を収集することで、標準時に基づいた時系列で移動物の位置追跡を行う技術について開示されている。
また特許文献２には、同期時刻（主局端末での送信時刻）が格納されると共に、ホップ数（パケットが経由するリンク数）格納エリアを有したパケットを主局端末からネットワークを経由して所定の受信端末へ送信し、ネットワークのリンクを経由する毎にホップ数を１つずつ増加させてホップ数格納エリアに格納し、受信端末において所定の固定遅延時間にホップ数を乗じたものを、主局端末と受信端末間の伝送遅延時間とし、パケット中の同期時刻に該伝送遅延時間を加算して、所定の受信端末の時刻とする技術について開示されている。
【特許文献１】特開２００４−１４５４９５公報
【特許文献２】特開２００３−２９８６３０公報
【発明の開示】
【発明が解決しようとする課題】
【０００３】
しかし、従来の電力量情報提供システムが持つ時刻情報は、電力量計の内蔵時計を用いているので、停電や何らかの原因によって時刻がずれたり経年によって時刻がずれると、顧客の把握している現在時刻と、電力量情報提供システムが提供する現在時刻が異なってしまう場合がある。そのずれが大きい場合は、顧客は電力量情報提供システムにより計量された電力量を信用しないばかりか、顧客の最大使用電力を抑えようとする試みがうまく機能しなくなる可能性があり、電気料金への不信感が増大するといった問題がある。
また、顧客の最大使用電力を抑えようと試みは通常、時計機能を有するシステムによって行われるが、例えば、システムの時計機能と電力量提供システムの時計に５分のズレがあると仮定すると、顧客が９時〜９時５分までの電力量を抑制したつもりが、実際は８時５５分から９時までの間を抑制した結果となり、最大使用電力の時間帯である９時〜９時３０分の間の最大電力量が意図しない結果をもたらす。
また、時刻情報として電力量計の内蔵時計を使用せず、例えば標準時刻をネットワークから導入したとしても、逆に顧客側のシステムの時計が誤っていることもあり、その場合やはり最大使用電力を抑えようと試みが適正に行われない。
また、特許文献１に開示されている従来技術は、トンネル内では電波時計とは異なる信号形態により時刻配信を行うため、専用の受信装置あるいは受信用プログラムが必要となり、汎用の電波時計をトンネル内において使用することはできないといった問題がある。
また特許文献２に開示されている従来技術は、時刻同期信号メッセージを一定周期で配信する必要があるため、必ずしも受信端末が稼動状態にあるとは限らないにも拘わらず、無駄な配信を行なわなければならないといった問題がある。
本発明は、かかる課題に鑑み、時刻情報を電波として提供すると共に、この時刻情報に基づいた電力量情報を顧客に提供することにより、顧客が所有する電波時計との同期が取れ、それにより顧客が適正に最大使用電力の抑制を図ることが可能な電力量情報提供装置を提供することを目的とする。
【課題を解決するための手段】
【０００４】
本発明はかかる課題を解決するために、請求項１は、時刻情報と該時刻における使用電力に基づいて使用電力量を算定すると共に、前記時刻情報と該時刻情報に対応する使用電力量情報とを、電力を使用する顧客へ提供する電力量情報提供装置であって、ネットワークから受信した時刻情報を電波時計に配信するためのタイムコードに変換するタイムコード変換手段と、前記タイムコードを再び電波として発信する電波発信手段と、該電波発信手段により発信されたタイムコードを受信して前記時刻情報に対応する使用電力量情報を顧客に提供する電力量計と、を備えたことを特徴とする。
本発明はネットワークより取得した時刻情報に基づいて、電波発信手段から顧客の電波時計と電力量計に内蔵した電波時計を同期させる。そして電力量計に内蔵した電波時計に基づいて算定した顧客の使用電力量と時刻情報を電力量情報として顧客に提供する。顧客は、自分の電波時計の時刻と提供された電力量情報の時刻情報が完全に同期しているので、その情報の信頼性を確信する。また、最大使用電力の抑制も自分の電波時計により確実に行うことができる。
【０００５】
請求項２は、前記電力量計は、前記電波発信手段により発信されたタイムコードを受信して時刻補正を行う電波時計と、該電波時計の時刻情報に基づいて前記使用電力量を算定する使用電力量算定手段と、該使用電力量算定手段により算定された算定電力量と前記電波時計より取得した時刻情報とを電力量情報として前記電力を使用する顧客へ提供する電力量情報提供手段と、を備えたことを特徴とする。
本発明の電力量計は、ネットワークから取得した時刻情報が電波発信手段により電波にて発信されるので、電力量計側に電波時計を備えておくことにより、顧客が所有する電波時計と電力量計側に備えた電波時計を確実に同期させることができる。また電力量計として使用電力量を算定する使用電力量算定手段と、算定された算定電力量と電波時計より取得した時刻情報とを電力量情報として電力を使用する顧客へ提供する電力量情報提供手段とを備えることにより、顧客の電波時計と電力量計の電力量情報を完全に同期させることができる。
請求項３は、時刻情報と該時刻における使用電力に基づいて使用電力量を算定すると共に、前記時刻情報と該時刻情報に対応する使用電力量情報とを、電力を使用する顧客へ提供する電力量情報提供装置であって、ネットワークから受信した時刻情報を電波時計に配信するためのタイムコードに変換するタイムコード変換手段と、前記タイムコードを再び電波として発信する電波発信手段と、前記時刻情報に対応する使用電力量情報を顧客に提供する電力量計と、を備えたことを特徴とする。
本発明は電力量計側に電波時計を省略して、ネットワークから取得した時刻情報に基づいて算定した顧客の使用電力量と時刻情報を電力量情報として顧客に提供する。顧客は、自分の電波時計の時刻と提供された電力量情報の時刻情報が完全に同期しているのでその情報の信頼性を確信する。また、最大使用電力の抑制も自分の電波時計により確実に行うことができる。
【０００６】
請求項４は、前記電力量計は、前記時刻情報に基づいて前記使用電力量を算定する使用電力量算定手段と、該使用電力量算定手段により算定された算定電力量と前記ネットワークから受信した時刻情報とを電力量情報として前記電力を使用する顧客へ提供する電力量情報提供手段と、を備えたことを特徴とする。
本発明では、ネットワークから取得した時刻情報が電波発信手段により電波で発信されると共に、ネットワークから取得した時刻情報に基づいて使用電力を算定するので、顧客が所有する電波時計と使用電力量を確実に同期させることができる。また電力量計として使用電力量を算定する使用電力量算定手段と、電力量情報提供手段を備えることにより、顧客の電波時計と電力量計の電力量情報を完全に同期させることができる。
請求項５は、時刻情報を配信する時刻配信側と、請求項１乃至４の何れか一項に記載の電力量情報提供装置を備えた時刻受信・再配信側と、前記時刻配信側と前記時刻受信・再配信側を接続するネットワークと、を備えた電力量情報提供システムであって、前記時刻配信側は、長波標準電波により変調された標準時刻情報を受信して検波する受信部と、該受信部により検波された標準時刻情報を復号する復号部と、復号された標準時刻情報に基づいた時刻情報を前記ネットワークに配信する配信手段と、を備えたことを特徴とする。
本発明は標準時刻を受信してネットワークに配信する時刻配信側と、時刻受信・再配信側として顧客側に本発明の電力量情報提供装置を供え、両者をネットワークにより接続したシステムである。このシステムにより、ネットワークに接続された全ての顧客は１つの時刻配信側の時刻情報に時刻を同期することができる。
【発明の効果】
【０００７】
請求項１の発明によれば、ネットワークから受信した時刻情報を電波時計に配信するためのタイムコードに変換するタイムコード変換手段と、タイムコードを再び電波として発信する電波発信手段と、電波発信手段により発信されたタイムコードを受信して時刻情報に対応する使用電力量情報を顧客に提供する電力量計と、を備えたので、顧客は、自分の電波時計の時刻情報と提供された電力量情報の時刻を完全に同期させることができ、また、最大使用電力の抑制も自分の電波時計により確実に行うことができる。
また請求項２では、電力量計は、電波発信手段により発信されたタイムコードを受信して時刻補正を行う電波時計と、電波時計の時刻情報に基づいて使用電力量を算定する使用電力量算定手段と、使用電力量算定手段により算定された算定電力量と電波時計より取得した時刻情報とを電力量情報として電力を使用する顧客へ提供する電力量情報提供手段と、を備えたので、顧客側に電波時計があれば必ず同期した時刻情報に基づいた使用電力量を提供することができる。
また請求項３では、ネットワークから受信した時刻情報を電波時計に配信するためのタイムコードに変換するタイムコード変換手段と、タイムコードを再び電波として発信する電波発信手段と、時刻情報に対応する使用電力量情報を顧客に提供する電力量計と、を備えたので、電力量情報提供装置側に電波時計を必要としないので、コスト的に安価に構成することができる。
また請求項４では、電力量計は、時刻情報に基づいて使用電力量を算定する使用電力量算定手段と、使用電力量算定手段により算定された算定電力量とネットワークから受信した時刻情報とを電力量情報として電力を使用する顧客へ提供する電力量情報提供手段と、を備えたので、電力量計の構成を簡略化して電力量計のコストを安価にすることができる。
また請求項５は、時刻情報を配信する時刻配信側と、請求項１乃至４の何れか一項に記載の電力量情報提供装置を備えた時刻受信・再配信側と、時刻配信側と時刻受信・再配信側を接続するネットワークと、を備えたので、ネットワークに接続された全ての顧客は１つの時刻配信側の時刻情報に時刻を同期することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
まず、本実施形態を説明する前に本発明を理解する上で必要なタイムコードと電波時計について概略を説明しておく。現在、世界各国（アメリカ、ドイツ、日本等）で長波標準電波（６０ｋＨｚ、７７．５ｋＨｚ、４０ｋＨｚ等）を利用したタイムコード（時刻、日付等）が発信されており、この長波標準電波を受信し、時刻の修正をする、いわゆる電波時計が実用化されている。図４は一般的な電波時計の構成を示すブロック図である。ＪＪＹからのタイムコードを受信部４０により受信し、検波部４１により搬送波により変調された信号を検波する。そして検波信号から復号部４２により時刻データを復号し、時刻データ生成部４３により時刻データを生成する。一方、水晶振動子４４を備えた発振回路４５の信号を分周回路４６により所定の分周比により分周して時刻データ生成部４７により時刻データを生成する。そしてその時刻は時刻データ生成部４３の時刻により補正されて時計の表示部に表示される。
図１は本発明の実施形態に係る電力量情報提供システムの全体構成を示すブロック図である。この電力量情報提供システム１００は、標準時の電波を発信するＪＪＹ１と、時刻配信側３と、ネットワーク７と、時刻受信・再配信側としての顧客Ａ８、Ｂ９、Ｃ１０と、から概略構成されている。この例では、時刻配信側３を１つとし、顧客側をＡ８、Ｂ９、Ｃ１０の３箇所として説明する。また顧客Ａ８、Ｂ９、Ｃ１０には、本発明の電力量情報提供装置８ａ、９ａ、１０ａが備えられている（詳細は後述する）。
次に電力量情報提供システム１００の概略動作について説明する。時刻配信側３は、標準時の電波を受信するアンテナ２と、アンテナ２を介して受信した長波標準電波により変調された標準時刻情報を受信して検波する受信部４と、受信部４により検波された標準時刻情報を復号する復号部５と、復号部５により復号された時刻情報をネットワーク７に配信する時刻情報配信手段６と、を備えている。そして、一定時間ごとにネットワーク７を介して時刻情報が各顧客に配信される。各顧客は必要なときに（例えば、現在の使用電力量を見たいときや、最大使用電力を抑制するために現状の使用電力を把握するとき等）ネットワーク７をアクセスして時刻情報を取得し、顧客が所有する電波時計を取得した時刻情報により補正すると共に、電力量計の使用電力量を算定する基準時間として使用する。
【０００９】
図２は本発明の第１の実施形態に係る電力量情報提供装置の構成を示すブロック図である。尚、電力量情報提供装置の構成は各顧客とも同様であるので、ここでは顧客Ａ８の場合について説明する。この電力量情報提供装置８ａは、ネットワーク７から受信した時刻情報を読み取る時刻情報読取手段１１と、時刻情報読取手段１１により読み取った時刻情報を電波時計１５、１９に配信するためのタイムコードに変換するタイムコード変換手段１２と、タイムコードを再び電波として発信する電波発信手段１３と、電波発信手段１３により発信されたタイムコードを受信して時刻補正を行う電波時計１５、１９と、電波時計１５の時刻情報に基づいて使用電力量を算定する使用電力量算定回路（使用電力量算定手段）１６と、使用電力量算定回路１６により算定された算定電力量と電波時計１５より取得した時刻情報とを電力量情報として電力を使用する顧客Ａ８へ提供する電力量情報提供手段１７と、を備えて構成される。また顧客Ａ８には少なくとも１つ以上の電波時計１９が備えられている。また外部の電柱２３から供給された電力は、使用電力量算定回路１６に入力され、顧客の負荷２０に応じた電力を算定するように構成されている。また、電力量情報提供手段１７から出力された情報は、例えば専用の表示部２１（ＬＣＤ等）に表示される。また本実施形態では、電力量計１４に使用電力量算定回路１６、電波時計１５及び電力量情報提供手段１７が内蔵された構成である。
次に本発明の第１の実施形態に係る電力量情報提供装置の動作について説明する。図１のネットワーク７と顧客Ａ８は常時接続され、ネットワーク７からは時刻情報が入力されているものとする。ネットワーク７から受信した時刻情報をまず時刻情報読取手段１１により読み取り、その情報をタイムコード変換手段１２により電波時計１５、１９に配信するためのタイムコードに変換する。電波発信手段１３はタイムコードを再び電波１８として発信する。その電波１８は電力量計１４に内蔵された電波時計１５と、顧客Ａ８が所有する電波時計１９が受信して同じ時刻に同期させる。使用電力量算定回路１６は常時、顧客の負荷２０により変動する使用電力量を電波時計１５から取得した時刻情報に対応するように算定して、電力量情報提供手段１７に出力する。ここで顧客Ａ８が最大使用電力量を抑制するために、例えば９時から９時半までの時刻を顧客の電波時計１９により確認して使用電力量を表示部２１を見ながら抑制する。電波時計１９は電力量計１４に内蔵の電波時計１５と完全に同期しているので、顧客は電波時計１９の時刻に基づいて最大使用電力量を制御することができる。
【００１０】
図３は本発明の第２の実施形態に係る電力量情報提供装置の構成を示すブロック図である。尚、電力量情報提供装置の構成は各顧客とも同様であるので、ここでは顧客Ａ８の場合について説明する。この電力量情報提供装置８ａは、ネットワーク７から受信した時刻情報を読み取る時刻情報読取手段１１と、時刻情報読取手段１１により読み取った時刻情報を電波時計１９に配信するためのタイムコードに変換するタイムコード変換手段１２と、タイムコードを再び電波として発信する電波発信手段３１と、電波発信手段３１により発信されたタイムコードを受信して時刻補正を行う電波時計１９と、時刻情報読取手段１１により読み取った時刻情報に基づいて使用電力量を算定する使用電力量算定回路（使用電力量算定手段）３２と、使用電力量算定回路３２により算定された算定電力量と時刻情報読取手段１１により読み取った時刻情報とを電力量情報として電力を使用する顧客Ａ８へ提供する電力量情報提供手段１７と、を備えて構成される。また顧客Ａ８には少なくとも１つ以上の電波時計１９が備えられている。また外部の電柱２３から供給された電力は、使用電力量算定回路３２に入力され、顧客の負荷２０に応じた電力を算定するように構成されている。また、電力量情報提供手段１７から出力された情報は、例えば専用の表示部２１（ＬＣＤ等）に表示される。また本実施形態では、電力量計３０に使用電力量算定回路３２及び電力量情報提供手段１７が内蔵された構成である。
次に本発明の第２の実施形態に係る電力量情報提供装置の動作について説明する。図１のネットワーク７と顧客Ａ８は常時接続され、ネットワーク７からは時刻情報が入力されているものとする。ネットワーク７から受信した時刻情報をまず時刻情報読取手段１１により読み取り、その情報をタイムコード変換手段１２により電波時計１９に配信するためのタイムコードに変換する。電波発信手段３１はタイムコードを再び電波３３として発信する。その電波３３は顧客Ａ８が所有する電波時計１９が受信する。また使用電力量算定回路３２は常時、顧客の負荷２０により変動する使用電力量を時刻情報読取手段１１により読み取った時刻情報に対応するように算定して、電力量情報提供手段１７に出力する。ここで顧客Ａ８が最大使用電力量を抑制するために、例えば９時から９時半までの時刻を顧客の電波時計１９により確認して使用電力量を表示部２１を見ながら抑制する。電波時計１９は時刻情報読取手段１１により読み取った時刻情報と完全に同期しているので、顧客は電波時計１９の時刻に基づいて最大使用電力量を制御することができる。
【００１１】
以上で説明した通り本発明によれば、ネットワーク７から受信した時刻情報を電波時計１５、１９に配信するためのタイムコードに変換するタイムコード変換手段１２と、タイムコードを再び電波として発信する電波発信手段１３と、電波発信手段１３により発信されたタイムコードを受信して時刻情報に対応する使用電力量情報を顧客に提供する電力量計１４と、を備えたので、顧客Ａ８は、自分の電波時計１９の時刻情報と提供された電力量情報の時刻を完全に同期させることができ、また、最大使用電力の抑制も自分の電波時計１９により確実に行うことができる。
また、電力量計１４は、電波発信手段１３により発信されたタイムコードを受信して時刻補正を行う電波時計１５と、電波時計１５の時刻情報に基づいて使用電力量を算定する使用電力量算定回路１６と、使用電力量算定回路１６により算定された算定電力量と電波時計１５より取得した時刻情報とを電力量情報として電力を使用する顧客Ａ８へ提供する電力量情報提供手段１７と、を備えたので、顧客側に電波時計１９があれば必ず同期した時刻情報に基づいた使用電力量を提供することができる。
また、ネットワーク７から受信した時刻情報を電波時計１９に配信するためのタイムコードに変換するタイムコード変換手段１２と、タイムコードを再び電波として発信する電波発信手段３１と、時刻情報に対応する使用電力量情報を顧客に提供する電力量計３０と、を備えたので、電力量情報提供装置８ａ側に電波時計を必要としないので、コスト的に安価に構成することができる。
また、電力量計３０は、時刻情報に基づいて使用電力量を算定する使用電力量算定回路３２と、使用電力量算定回路３２により算定された算定電力量とネットワーク７から受信した時刻情報とを電力量情報として電力を使用する顧客８Ａへ提供する電力量情報提供手段１７と、を備えたので、電力量計３０の構成を簡略化して電力量計３０のコストを安価にすることができる。
また、時刻情報を配信する時刻配信側３と、請求項１乃至４の何れか一項に記載の電力量情報提供装置８ａを備えた時刻受信・再配信側８と、時刻配信側３と時刻受信・再配信側８を接続するネットワーク７と、を備えたので、ネットワーク７に接続された全ての顧客Ａ８、Ｂ９、Ｃ１０は１つの時刻配信側３の時刻情報に時刻を同期することができる。
【図面の簡単な説明】
【００１２】
【図１】本発明の実施形態に係る電力量情報提供システムの全体構成を示すブロック図である。
【図２】本発明の第１の実施形態に係る電力量情報提供装置の構成を示すブロック図である。
【図３】本発明の第２の実施形態に係る電力量情報提供装置の構成を示すブロック図である。
【図４】一般的な電波時計の構成を示すブロック図である。
【符号の説明】
【００１３】
１  ＪＪＹ、２  アンテナ、３  時刻配信側、４  受信部、５  復号部、６  時刻情報配信手段、７  ネットワーク、Ａ８、Ｂ９、Ｃ１０  顧客、８ａ、９ｂ、１０ｃ  電力量情報提供装置、１１  時刻情報読取手段、１２  タイムコード変換手段、１３  電波発信手段、１４、３０  電力量計、１５、１９  電波時計、１６、３２  使用電力量算定回路、１７  電力量情報提供手段、１８  電波、２０  負荷、２１  表示部、２３  電柱、１００  電力量情報提供システム
【図１】
2007127557.tif 000003
【図２】
2007127557.tif 000004
【図３】
2007127557.tif 000005
【図４】
2007127557.tif 000006